(57)【要約】【課題】システムの調整時間を短縮し且つ適切な情報提供を行うことが可能な情報提供システムを提供する。【解決手段】車両内の乗客に対して複数種類の映像情報を提供する情報提供システムに、前記映像情報を表示する映像表示装置と、所定周期で前記複数種類の映像情報の各々について順番に表示の必要性の有無を判断し、前記表示の必要性有りと判断した映像情報が表示されるように前記映像表示装置を制御する表示制御装置とを設ける。【選択図】図２
2010247739.tif 000002
【特許請求の範囲】
【請求項１】
車両内の乗客に対して複数種類の映像情報を提供する情報提供システムであって、
前記映像情報を表示する映像表示装置と、
所定周期で前記複数種類の映像情報の各々について順番に表示の必要性の有無を判断し、前記表示の必要性有りと判断した映像情報が表示されるように前記映像表示装置を制御する表示制御装置と、
を備えることを特徴とする情報提供システム。
【請求項２】
前記映像表示装置は、メイン画面及びサブ画面を備え、
前記表示制御装置は、新たに前記表示の必要性有りと判断した映像情報が前記メイン画面で表示されるように、且つ以前に前記メイン画面で表示されていた映像情報が前記サブ画面で表示されるように前記映像表示装置を制御することを特徴とする請求項１記載の情報提供システム。
【請求項３】
前記表示制御装置は、前記メイン画面における映像情報の表示終了後に前記サブ画面において映像情報の表示が継続している場合、前記サブ画面において現在表示中の映像情報が前記メイン画面で表示されるように前記映像表示装置を制御することを特徴とする請求項２記載の情報提供システム。
【請求項４】
前記表示制御装置は、前記サブ画面において映像情報の表示を行う必要のない場合、予め用意されている基本映像が前記サブ画面で表示されるように前記映像表示装置を制御することを特徴とする請求項２または３に記載の情報提供システム。
【請求項５】
前記表示制御装置は、新たに前記表示の必要性有りと判断された映像情報の種類が緊急情報に該当する場合、前記サブ画面において現在表示中の映像情報に加えて前記緊急情報に該当する映像情報が表示されるように前記映像表示装置を制御することを特徴とする請求項２〜４のいずれか一項に記載の情報提供システム。  
【請求項６】
前記表示制御装置は、前記メイン画面における映像情報の表示終了後、前記サブ画面において現在表示中の緊急情報に該当する映像情報が全画面に表示されるように前記映像表示装置を制御することを特徴とする請求項５記載の情報提供システム。
【請求項７】
前記車両の運行情報に応じて表示すべき映像情報を前記表示制御装置に指示する運行情報管理装置と、
前記運行情報以外の映像情報を配信する情報配信装置と無線ネットワークを介して通信可能な無線通信機と、
前記運行情報に該当する映像情報を予め記憶すると共に、前記無線通信機を用いて前記情報配信装置から取得した前記運行情報以外の映像情報を記憶する映像情報記憶装置と、
をさらに備え、
前記表示制御装置は、前記表示すべき映像情報の指示状況、及び前記運行情報以外の映像情報の取得状況に基づいて、所定周期で前記映像情報の各々について順番に表示の必要性の有無を判断し、前記表示の必要性有りと判断した映像情報を前記映像情報記憶装置から読出して前記映像表示装置に表示させることを特徴とする請求項１〜６のいずれか一項に記載の情報提供システム。
【請求項８】
前記運行情報に該当する映像情報と共に提供すべき音声情報を予め記憶すると共に、前記無線通信機を用いて前記情報配信装置から取得した前記運行情報以外の映像情報と共に提供すべき音声情報を記憶する音声情報記憶装置と、
前記音声情報に応じた音声を出力する音声出力装置と、
をさらに備え、
前記表示制御装置は、前記表示の必要性有りと判断した映像情報と共に提供すべき音声情報を前記音声情報記憶装置から読出して前記音声出力装置に送出することを特徴とする請求項７記載の情報提供システム。
【請求項９】
前記運行情報に該当する映像情報と共に提供すべき文字情報を予め記憶すると共に、前記無線通信機を用いて前記情報配信装置から取得した前記運行情報以外の映像情報と共に提供すべき文字情報を記憶する文字情報記憶装置と、
前記文字情報を表示する文字表示装置と、
をさらに備え、
前記表示制御装置は、前記表示の必要性有りと判断した映像情報と共に提供すべき文字情報を前記文字情報記憶装置から読出して前記文字表示装置に送出することを特徴とする請求項７または８に記載の情報提供システム。
【発明の詳細な説明】
【技術分野】
【０００１】
本発明は、情報提供システムに関し、特に公共交通車両内の乗客に対して車両の運行情報や広告情報、ニュース情報などの各種の映像情報を乗客に提供する情報提供システムに関する。
【背景技術】
【０００２】
近年では、公共交通車両（以下、車両と略す）内に映像表示装置を設けて、車両の運行情報や広告情報、ニュース情報などの各種の映像情報を乗客に提供する情報提供システムの採用が一般的となっている。例えば、下記特許文献１（特許第３８５９９５４号公報）には、上記のように乗客に提供すべき映像情報に優先順位を設定し、現在表示中の映像情報より優先順位の高い映像情報の表示指令の割込みが発生した場合に、優先順位の高い映像情報の表示に優先的に切り替える技術が開示されている。  
【先行技術文献】
【特許文献】
【０００３】
【特許文献１】特許第３８５９９５４号公報
【発明の概要】
【発明が解決しようとする課題】
【０００４】
ところで、乗客に提供すべき映像情報の優先順位は、車両の種類や路線の状況によって変化するものである。例えば、大規模空港内における旅客移動手段として利用される新交通システム用の車両では、車両の乗客は航空機を利用する旅客であると共に車両内に拘束される時間も短い（路線の距離が短い）ため、広告情報やニュース情報などより天気情報や航空機の欠航情報などを優先的に提供すべきである。一方、例えば、一般的な鉄道車両のように比較的長距離路線を走行する車両では、乗客は長時間車両内に拘束されるため、天気情報やニュース情報などより広告情報、娯楽情報などを優先的に提供すべきである（勿論、事故発生や遅延発生などの緊急情報の表示を最優先する）。
【０００５】
上記特許文献１の技術では、予め乗客に提供すべき映像情報に優先順位を設定しておく必要があるが、上記の理由のために、車両の種類や路線の状況に応じて適切な優先順位に設定し直さなければならず、優先順位の設定作業に時間がかかる（システムの調整時間が長くなる）と共に、人為的な設定ミスにより適切な情報提供ができなくなるなどの問題がある。
【０００６】
本発明は上述した事情に鑑みてなされたものであり、システムの調整時間を短縮し且つ適切な情報提供を行うことが可能な情報提供システムを提供することを目的とする。
【課題を解決するための手段】
【０００７】
上記課題を解決するために、本発明に係る情報提供システムは、車両内の乗客に対して複数種類の映像情報を提供する情報提供システムであって、前記映像情報を表示する映像表示装置と、所定周期で前記複数種類の映像情報の各々について順番に表示の必要性の有無を判断し、前記表示の必要性有りと判断した映像情報が表示されるように前記映像表示装置を制御する表示制御装置とを備えることを特徴とする。
【０００８】
また、本発明に係る情報提供システムにおいて、前記映像表示装置は、メイン画面及びサブ画面を備え、前記表示制御装置は、新たに前記表示の必要性有りと判断した映像情報が前記メイン画面で表示されるように、且つ以前に前記メイン画面で表示されていた映像情報が前記サブ画面で表示されるように前記映像表示装置を制御することを特徴とする。
【０００９】
また、本発明に係る情報提供システムにおいて、前記表示制御装置は、前記メイン画面における映像情報の表示終了後に前記サブ画面において映像情報の表示が継続している場合、前記サブ画面において現在表示中の映像情報が前記メイン画面で表示されるように前記映像表示装置を制御することを特徴とする。
【００１０】
また、本発明に係る情報提供システムにおいて、前記表示制御装置は、前記サブ画面において映像情報の表示を行う必要のない場合、予め用意されている基本映像が前記サブ画面で表示されるように前記映像表示装置を制御することを特徴とする。
【００１１】
また、本発明に係る情報提供システムにおいて、前記表示制御装置は、新たに前記表示の必要性有りと判断された映像情報の種類が緊急情報に該当する場合、前記サブ画面において現在表示中の映像情報に加えて前記緊急情報に該当する映像情報が表示されるように前記映像表示装置を制御することを特徴とする。
【００１２】
また、本発明に係る情報提供システムにおいて、前記表示制御装置は、前記メイン画面における映像情報の表示終了後、前記サブ画面において現在表示中の緊急情報に該当する映像情報が全画面に表示されるように前記映像表示装置を制御することを特徴とする。
【００１３】
また、本発明に係る情報提供システムは、前記車両の運行情報に応じて表示すべき映像情報を前記表示制御装置に指示する運行情報管理装置と、前記運行情報以外の映像情報を配信する情報配信装置と無線ネットワークを介して通信可能な無線通信機と、前記運行情報に該当する映像情報を予め記憶すると共に、前記無線通信機を用いて前記情報配信装置から取得した前記運行情報以外の映像情報を記憶する映像情報記憶装置とをさらに備え、前記表示制御装置は、前記表示すべき映像情報の指示状況、及び前記運行情報以外の映像情報の取得状況に基づいて、所定周期で前記映像情報の各々について順番に表示の必要性の有無を判断し、前記表示の必要性有りと判断した映像情報を前記映像情報記憶装置から読出して前記映像表示装置に表示させることを特徴とする。
【００１４】
また、本発明に係る情報提供システムは、前記運行情報に該当する映像情報と共に提供すべき音声情報を予め記憶すると共に、前記無線通信機を用いて前記情報配信装置から取得した前記運行情報以外の映像情報と共に提供すべき音声情報を記憶する音声情報記憶装置と、前記音声情報に応じた音声を出力する音声出力装置とをさらに備え、前記表示制御装置は、前記表示の必要性有りと判断した映像情報と共に提供すべき音声情報を前記音声情報記憶装置から読出して前記音声出力装置に送出することを特徴とする。
【００１５】
また、本発明に係る情報提供システムは、前記運行情報に該当する映像情報と共に提供すべき文字情報を予め記憶すると共に、前記無線通信機を用いて前記情報配信装置から取得した前記運行情報以外の映像情報と共に提供すべき文字情報を記憶する文字情報記憶装置と、前記文字情報を表示する文字表示装置とをさらに備え、前記表示制御装置は、前記表示の必要性有りと判断した映像情報と共に提供すべき文字情報を前記文字情報記憶装置から読出して前記文字表示装置に送出することを特徴とする。
【発明の効果】
【００１６】
本発明に係る情報提供システムによると、所定周期で複数種類の映像情報の各々について順番に表示の必要性の有無を判断し、表示の必要性有りと判断した映像情報を表示するため、従来技術のように予め乗客に提供すべき映像情報に優先順位を設定しておく必要がなく、システムの調整時間を短縮でき、且つ人為的なミスがなくなるため適切な情報提供を行うことが可能となる。
【図面の簡単な説明】
【００１７】
【図１】本実施形態の新交通システムで使用される車両１の構成概略図である。
【図２】本実施形態の車両１に搭載される情報提供システムのブロック構成図である。
【図３】本実施形態における映像情報種別番号と表示必要性判断フラグとの対応関係を示すテーブルデータの一例である。
【図４】本実施形態の情報提供システムにおける表示制御装置２８の動作を示す第１フローチャートである。
【図５】本実施形態の情報提供システムにおける表示制御装置２８の動作を示す第２フローチャートである。
【図６】本実施形態の情報提供システムにおける映像表示装置２５による映像情報の表示例を示した図である。
【発明を実施するための形態】
【００１８】
以下、図面を参照して、本発明の一実施形態について説明する。
なお、以下では、本実施形態に係る情報提供システムとして、新交通システム用の車両内の乗客に対して車両の運行情報や広告情報、ニュース情報などの各種の映像情報を提供する情報提供システムを例示して説明する。
【００１９】
周知のように、新交通システムとは、人口の比較的密集した都市空間において鉄道とバスとの中間の輸送力を持つ公共交通機関として開発されたものであり、近年では大規模空港内における旅客移動手段としても利用されている。このような新交通システムは、専用の軌道をゴムタイヤで支持された車両が案内軌条（ガイドレール）にガイドされて走行する方式を採用しているため、快適性・低公害性・安全性に優れた輸送システムとして注目されている。
【００２０】
図１は、新交通システム用の車両１の概略構成図であり、図１（ａ）は軌道Ｗ上を走行する車両１の正面図、図１（ｂ）は車両１の台車の構造を説明するための概略平面図である。これら図１（ａ）及び（ｂ）に示すように、車両１は、乗客を収容するための本体部である車体１０と、４輪のゴムタイヤ１１に支持された台車１２とを備えている。台車１２には集電装置１３及び後輪側のゴムタイヤ１１を回転させる駆動モータ１４が設置されており、車両１は、軌道Ｗの側壁に沿って設置された電車線１５から集電装置１３を介して電力（例えば３相交流電力）供給を受けて走行するようになっている。
【００２１】
また、台車１２には、ゴムタイヤ１１の操舵手段として、前輪側及び後輪側の２箇所に案内バー１６が取り付けられている。案内バー１６の両側には案内輪１７が取り付けられており、軌道側壁に設けられたガイドレール１８に案内輪１７をガイドさせて走行することにより、軌道Ｗのカーブに追従して曲がることができるようになっている。
【００２２】
また、案内バー１６には、案内輪１７の下方に分岐案内輪１９が取り付けられている。この分岐案内輪１９は、軌道Ｗの分岐部横に設置された電気転轍機の可動案内板（図示略）にフックして車両１を所望の方向に分岐させるものであり、直進するときには電気転轍機の直進側の可動案内板がせり出してきて車両１の進路を直進方向に維持し、分岐するときには分岐側の可動案内板がせり出してきて車両１の進路を分岐方向に変更するようになっている。
【００２３】
図２は、上述した車両１に搭載され、車両１内の乗客に対して車両１の運行情報や広告情報、ニュース情報などの各種の映像情報を提供する情報提供システムのブロック構成図である。この図２に示すように、本実施形態に係る情報提供システムは、運行情報管理装置２０、無線通信機２１、映像情報記憶装置２２、音声情報記憶装置２３、文字情報記憶装置２４、映像表示装置２５、音声出力装置２６、文字表示装置２７及び表示制御装置２８から構成されている。
【００２４】
運行情報管理装置２０は、例えば車両１の自動運転を行うＡＴＯ(Automatic Train Operation)装置であり、各駅に設置された地上ＡＴＯ装置と車両１に搭載された車上ＡＴＯ装置とから構成されている。地上ＡＴＯ装置は、車両１の駅停車中において車上ＡＴＯ装置と連携して、車両１の車両ドア及び駅ホームドアの連動開閉制御や車両１の出発制御など駅内における車両１の自動運転に必要な制御を行うものである。一方、車上ＡＴＯ装置は、車両１の発車、加速、定速走行、減速、停止など駅間における車両１の自動運転に必要な制御を行うものである。
【００２５】
このような運行情報管理装置２０は、車両１の運行情報に応じて表示すべき映像情報を指示するためのコマンドを表示制御装置２８に出力する。ここで、映像情報にはその種類毎に番号（以下、映像情報種別番号と称す）が付与されており、上記のコマンドには表示すべき映像情報に付与された映像情報種別番号が含まれている。また、車両１の運行情報とは、例えば駅停車中に案内（提供）すべき停車駅名やドアの開閉状態、発車後に案内すべき次停車駅名、駅停車前に案内すべき到着駅名などである。つまり、運行情報管理装置２０は、例えば駅停車前に到着駅名を乗客に案内するタイミングが到来すると、到着駅名を乗客に案内するために表示すべき映像情報の映像情報種別番号をコマンドによって表示制御装置２８に通知する。
【００２６】
無線通信機２１は、上記の運行情報以外の映像情報を配信する情報配信装置（図示省略）と無線ネットワーク（例えば無線ＬＡＮ）を介して通信可能な車載無線通信機であり、無線ネットワークを介して受信した無線信号から運行情報以外の映像情報（以下、配信映像情報と称する）を抽出して表示制御装置２８に出力する。ここで、配信映像情報とは、広告情報や娯楽情報、ニュース情報、天気情報、緊急情報（事故発生情報や遅延発生情報）などを乗客に提供するために表示すべき映像情報を指す。これら配信映像情報にもその種類毎に映像情報種別番号が付与されている。
【００２７】
なお、情報配信装置から配信される情報には、配信映像情報だけでなく、この配信映像情報と共に提供すべき音声情報及び文字情報が含まれており、無線通信機２１は、無線ネットワークを介して受信した無線信号から配信映像情報に加えて音声情報及び文字情報を抽出して表示制御装置２８に出力する。
【００２８】
映像情報記憶装置２２は、例えばフラッシュメモリやハードディスク等の書き換え可能な不揮発性の記憶装置であり、上記の各種類の運行情報に該当する映像情報（運行情報を乗客に案内するために表示すべき映像情報：以下、運行映像情報と称する）を予め記憶すると共に、表示制御装置２８の要求に応じて上記の情報配信装置から取得した配信映像情報を記憶する。ここで、映像情報記憶装置２２は、上記の運行映像情報及び配信映像情報をそれぞれの種類毎に付与されている映像情報種別番号と対応付けて記憶する。
【００２９】
音声情報記憶装置２３は、例えばフラッシュメモリやハードディスク等の書き換え可能な不揮発性の記憶装置であり、上記の運行映像情報と共に提供（案内）すべき音声情報（以下、運行音声情報と称する）を予め記憶すると共に、表示制御装置２８の要求に応じて上記の情報配信装置から取得した配信映像情報と共に提供すべき音声情報（以下、配信音声情報と称する）を記憶する。ここで、音声情報記憶装置２３は、上記の運行音声情報及び配信音声情報をそれぞれとペアになる映像情報に付与されている映像情報種別番号と対応付けて記憶する。
【００３０】
文字情報記憶装置２４は、例えばフラッシュメモリやハードディスク等の書き換え可能な不揮発性の記憶装置であり、上記の運行映像情報と共に提供（案内）すべき文字情報（以下、運行文字情報と称する）を予め記憶すると共に、表示制御装置２８の要求に応じて上記の情報配信装置から取得した配信映像情報と共に提供すべき文字情報（以下、配信文字情報と称する）を記憶する。ここで、文字情報記憶装置２４は、上記の運行文字情報及び配信文字情報をそれぞれとペアになる映像情報に付与されている映像情報種別番号と対応付けて記憶する。
【００３１】
映像表示装置２５は、例えば４つのＬＣＤ(Liquid Crystal Display)が横一列に配置されてなる４画面マルチディスプレイであり、表示制御装置２８による制御の下、所定の規則に従って４つの画面を用いて上記の運行映像情報或いは配信映像情報を表示する。なお、映像表示装置２５が備える４つの画面の内、中２画面がメイン画面、外２画面がサブ画面として設定されている。これら４つの画面を用いてどのような規則に従って運行映像情報或いは配信映像情報を表示するかについての詳細な説明は後述する。
【００３２】
音声出力装置２６は、例えばオーディオスピーカであり、表示制御装置２８による制御の下、上記の運行音声情報或いは配信音声情報に応じた音声を出力する。文字表示装置２７は、例えばＬＥＤ(Light Emitting Diode)表示器であり、表示制御装置２８による制御の下、上記の運行文字情報或いは配信文字情報を表示する。
【００３３】
表示制御装置２８は、運行情報管理装置２０から出力されるコマンドの入力状況（表示すべき運行映像情報の指示状況）と、無線通信機２１を介して情報配信装置から取得した配信映像情報の取得状況とに基づいて、所定周期で各種類の映像情報（運行映像情報及び配信映像情報を含む）の各々について順番に表示の必要性の有無を判断し、表示の必要性有りと判断した映像情報を映像情報記憶装置２２から読出して映像表示装置２５に表示させる機能を有している。
【００３４】
具体的には、この表示制御装置２８は、図３に示すように内部メモリに、映像情報種別番号と、コマンドの入力状況或いは配信映像情報の取得状況に応じて値が切り替わる表示必要性判断フラグとの対応関係を示すテーブルデータを記憶しており、運行情報管理装置２０から入力されるコマンドに含まれる映像情報種別番号に対応する表示必要性判断フラグを「１」にセットし、また、情報配信装置から取得した配信映像情報の映像情報種別番号に対応する表示必要性判断フラグを「１」にセットする。
【００３５】
なお、図３では、映像情報種別番号の「２」〜「１０」が運行映像情報に対して付与された番号であり、映像情報種別番号の「１１」、「１２」が配信映像情報に対して付与された番号である場合を例示しており、コマンドに含まれる映像情報種別番号が「８」であって、これに対応する表示必要性判断フラグを「１」にセットし、また、情報配信装置から取得した配信映像情報の映像情報種別番号が「１１」であって、これに対応する表示必要性判断フラグを「１」にセットした状態を例示している。
つまり、表示制御装置２８は、上記のようなテーブルデータを基に、表示必要性判断フラグが「１」にセットされている映像情報種別番号に対応する映像情報（運行映像情報及び配信映像情報を含む）を表示の必要性有りと判断するのである。
【００３６】
さらに、この表示制御装置２８は、情報配信装置から取得した配信映像情報を映像情報記憶装置２２に記憶させ、情報配信装置から配信映像情報と共に取得した配信音声情報を音声情報記憶装置２３に記憶させ、また、情報配信装置から配信映像情報と共に取得した配信文字情報を文字情報記憶装置２４に記憶させるというダウンロード機能も有している。
【００３７】
そして、この表示制御装置２８は、表示の必要性有りと判断した映像情報（運行映像情報及び配信映像情報を含む）に付与されている映像情報種別番号に対応する音声情報（運行音声情報及び配信音声情報を含む）及び文字情報（運行文字情報及び配信文字情報を含む）を音声情報記憶装置２３及び文字情報記憶装置２４から読出し、音声出力装置２６を制御して音声情報に応じた音声を出力させると共に、文字表示装置２７を制御して文字情報を表示させる機能も有している。
【００３８】
次に、上記のように構成された本実施形態に係る情報提供システムの動作について詳細に説明する。まず、図４及び図５のフローチャートを参照して表示制御装置２８の動作について説明する。なお、以下では、表示制御装置２８の内部メモリに図３のような映像情報種別番号と表示必要性判断フラグとの対応関係を示すテーブルデータが記憶されていることを前提として説明する。
【００３９】
図４に示すように、表示制御装置２８は、車両１の電源が投入されて運転が開始されると、まず、内部メモリに記憶している上記テーブルデータの表示必要性判断フラグを全て「０」にリセットする（ステップＳ１）。以降は、車両１の運転中において、運行情報管理装置２０から運行状況に応じてコマンドが表示制御装置２８に送出され、また、一定時間おきに情報配信装置から配信映像情報、配信音声情報及び配信文字情報が無線通信機２１を介して表示制御装置２８に配信されるため、テーブルデータの表示必要性判断フラグの値はコマンドの入力状況或いは配信映像情報の取得状況に応じて切り替わることになる。
【００４０】
なお、例えば広告情報など非常にデータ量の大きい配信映像情報の場合、車両１の運転中にダウンロードするのでは効率が悪く、また、広告情報などは頻繁に更新されるものではないので、１日または数日に１回の割合で運転終了後に車両ドックに車両１を戻してからダウンロードしておくことが多い。従って、上記のようにステップＳ１でテーブルデータの表示必要性判断フラグを全て「０」にリセットした後、映像情報記憶装置２２の記憶データをチェックして広告情報に該当する配信映像情報が記憶されていた場合には、その映像情報種別番号に対応する表示必要性判断フラグを「１」にセットしておくことが望ましい。
【００４１】
続いて、表示制御装置２８は、周期タイマを起動し（ステップＳ２）、周期タイマが時間Ｔ１を経過したか否かを判断する（ステップＳ３）。ここで、周期タイマは例えば１秒程度に設定されている。表示制御装置２８は、上記ステップＳ３において、「No」の場合はステップＳ３の処理を繰り返し、「Yes」の場合はステップＳ４の処理に移行する。つまり、表示制御装置２８は、ステップＳ４において、内部メモリに記憶されているテーブルデータ（図３参照）を基に映像情報種別番号「２」の表示必要性判断フラグが「１」か否かを判断し（ステップＳ４）、「Yes」の場合はステップ５の処理に移行する一方、「No」の場合はステップＳ６の処理に移行する。
【００４２】
表示制御装置２８は、ステップＳ５において、映像情報種別番号「２」に対応する運行映像情報、運行音声情報及び運行文字情報を映像情報記憶装置２２、音声情報記憶装置２３及び文字情報記憶装置２４から読出し、映像表示装置２５を制御して映像情報種別番号「２」に対応する運行映像情報を表示させ、音声出力装置２６を制御して運行音声情報に応じた音声を出力させ、また、文字表示装置２７を制御して運行文字情報を表示させる（ステップＳ５）。
【００４３】
続いて、表示制御装置２８は、ステップＳ６において、周期タイマが時間Ｔ２を経過したか否かを判断する（ステップＳ６）。表示制御装置２８は、このステップＳ６において、「No」の場合はステップＳ６の処理を繰り返し、「Yes」の場合はステップＳ７の処理に移行する。つまり、表示制御装置２８は、ステップＳ７において、内部メモリに記憶されているテーブルデータを基に映像情報種別番号「３」の表示必要性判断フラグが「１」か否かを判断し（ステップＳ７）、「Yes」の場合はステップ８の処理に移行する一方、「No」の場合はステップＳ９の処理に移行する。
【００４４】
表示制御装置２８は、ステップＳ８において、映像情報種別番号「３」に対応する運行映像情報、運行音声情報及び運行文字情報を映像情報記憶装置２２、音声情報記憶装置２３及び文字情報記憶装置２４から読出し、映像表示装置２５を制御して映像情報種別番号「３」に対応する運行映像情報を表示させ、音声出力装置２６を制御して運行音声情報に応じた音声を出力させ、また、文字表示装置２７を制御して運行文字情報を表示させる（ステップＳ８）。
【００４５】
続いて、表示制御装置２８は、ステップＳ９において、周期タイマが時間Ｔ３を経過したか否かを判断する（ステップＳ９）。表示制御装置２８は、このステップＳ９において、「No」の場合はステップＳ９の処理を繰り返し、「Yes」の場合はステップＳ１０の処理に移行する。つまり、表示制御装置２８は、ステップＳ１０において、内部メモリに記憶されているテーブルデータを基に映像情報種別番号「４」の表示必要性判断フラグが「１」か否かを判断し（ステップＳ１０）、「Yes」の場合はステップ１１の処理に移行する一方、「No」の場合はステップＳ１２の処理に移行する。
【００４６】
表示制御装置２８は、ステップＳ１１において、映像情報種別番号「４」に対応する運行映像情報、運行音声情報及び運行文字情報を映像情報記憶装置２２、音声情報記憶装置２３及び文字情報記憶装置２４から読出し、映像表示装置２５を制御して映像情報種別番号「４」に対応する運行映像情報を表示させ、音声出力装置２６を制御して運行音声情報に応じた音声を出力させ、また、文字表示装置２７を制御して運行文字情報を表示させる（ステップＳ１１）。
【００４７】
続いて、表示制御装置２８は、ステップＳ１２において、周期タイマが時間Ｔ４を経過したか否かを判断する（ステップＳ１２）。表示制御装置２８は、このステップＳ１２において、「No」の場合はステップＳ１２の処理を繰り返し、「Yes」の場合はステップＳ１３の処理に移行する。つまり、表示制御装置２８は、ステップＳ１３において、内部メモリに記憶されているテーブルデータを基に映像情報種別番号「５」の表示必要性判断フラグが「１」か否かを判断し（ステップＳ１３）、「Yes」の場合はステップ１４の処理に移行する一方、「No」の場合はステップＳ１５の処理に移行する。
【００４８】
表示制御装置２８は、ステップＳ１４において、映像情報種別番号「５」に対応する運行映像情報、運行音声情報及び運行文字情報を映像情報記憶装置２２、音声情報記憶装置２３及び文字情報記憶装置２４から読出し、映像表示装置２５を制御して映像情報種別番号「５」に対応する運行映像情報を表示させ、音声出力装置２６を制御して運行音声情報に応じた音声を出力させ、また、文字表示装置２７を制御して運行文字情報を表示させる（ステップＳ１４）。
【００４９】
続いて、表示制御装置２８は、ステップＳ１５において、周期タイマが時間Ｔ５を経過したか否かを判断する（ステップＳ１５）。表示制御装置２８は、このステップＳ１５において、「No」の場合はステップＳ１５の処理を繰り返し、「Yes」の場合はステップＳ１６の処理に移行する。つまり、表示制御装置２８は、ステップＳ１６において、内部メモリに記憶されているテーブルデータを基に映像情報種別番号「６」の表示必要性判断フラグが「１」か否かを判断し（ステップＳ１６）、「Yes」の場合はステップ１７の処理に移行する一方、「No」の場合はステップＳ１８の処理に移行する。
【００５０】
表示制御装置２８は、ステップＳ１７において、映像情報種別番号「６」に対応する運行映像情報、運行音声情報及び運行文字情報を映像情報記憶装置２２、音声情報記憶装置２３及び文字情報記憶装置２４から読出し、映像表示装置２５を制御して映像情報種別番号「６」に対応する運行映像情報を表示させ、音声出力装置２６を制御して運行音声情報に応じた音声を出力させ、また、文字表示装置２７を制御して運行文字情報を表示させる（ステップＳ１７）。
【００５１】
続いて、表示制御装置２８は、ステップＳ１８において、周期タイマが時間Ｔ６を経過したか否かを判断する（ステップＳ１８）。表示制御装置２８は、このステップＳ１８において、「No」の場合はステップＳ１８の処理を繰り返し、「Yes」の場合はステップＳ１９の処理に移行する。つまり、表示制御装置２８は、ステップＳ１９において、内部メモリに記憶されているテーブルデータを基に映像情報種別番号「７」の表示必要性判断フラグが「１」か否かを判断し（ステップＳ１９）、「Yes」の場合はステップ２０の処理に移行する一方、「No」の場合は図５のステップＳ２１の処理に移行する。
【００５２】
表示制御装置２８は、ステップＳ２０において、映像情報種別番号「７」に対応する運行映像情報、運行音声情報及び運行文字情報を映像情報記憶装置２２、音声情報記憶装置２３及び文字情報記憶装置２４から読出し、映像表示装置２５を制御して映像情報種別番号「６」に対応する運行映像情報を表示させ、音声出力装置２６を制御して運行音声情報に応じた音声を出力させ、また、文字表示装置２７を制御して運行文字情報を表示させる（ステップＳ２０）。
【００５３】
続いて、図５に示すように、表示制御装置２８は、ステップＳ２１において、周期タイマが時間Ｔ７を経過したか否かを判断する（ステップＳ２１）。表示制御装置２８は、このステップＳ２１において、「No」の場合はステップＳ２１の処理を繰り返し、「Yes」の場合はステップＳ２２の処理に移行する。つまり、表示制御装置２８は、ステップＳ２２において、内部メモリに記憶されているテーブルデータを基に映像情報種別番号「８」の表示必要性判断フラグが「１」か否かを判断し（ステップＳ２２）、「Yes」の場合はステップ２３の処理に移行する一方、「No」の場合はステップＳ２４の処理に移行する。
【００５４】
表示制御装置２８は、ステップＳ２３において、映像情報種別番号「８」に対応する運行映像情報、運行音声情報及び運行文字情報を映像情報記憶装置２２、音声情報記憶装置２３及び文字情報記憶装置２４から読出し、映像表示装置２５を制御して映像情報種別番号「８」に対応する運行映像情報を表示させ、音声出力装置２６を制御して運行音声情報に応じた音声を出力させ、また、文字表示装置２７を制御して運行文字情報を表示させる（ステップＳ２３）。
【００５５】
続いて、表示制御装置２８は、ステップＳ２４において、周期タイマが時間Ｔ８を経過したか否かを判断する（ステップＳ２４）。表示制御装置２８は、このステップＳ２４において、「No」の場合はステップＳ２４の処理を繰り返し、「Yes」の場合はステップＳ２５の処理に移行する。つまり、表示制御装置２８は、ステップＳ２５において、内部メモリに記憶されているテーブルデータを基に映像情報種別番号「９」の表示必要性判断フラグが「１」か否かを判断し（ステップＳ２５）、「Yes」の場合はステップ２６の処理に移行する一方、「No」の場合はステップＳ２７の処理に移行する。
【００５６】
表示制御装置２８は、ステップＳ２６において、映像情報種別番号「９」に対応する運行映像情報、運行音声情報及び運行文字情報を映像情報記憶装置２２、音声情報記憶装置２３及び文字情報記憶装置２４から読出し、映像表示装置２５を制御して映像情報種別番号「９」に対応する運行映像情報を表示させ、音声出力装置２６を制御して運行音声情報に応じた音声を出力させ、また、文字表示装置２７を制御して運行文字情報を表示させる（ステップＳ２６）。
【００５７】
続いて、表示制御装置２８は、ステップＳ２７において、周期タイマが時間Ｔ９を経過したか否かを判断する（ステップＳ２７）。表示制御装置２８は、このステップＳ２７において、「No」の場合はステップＳ２７の処理を繰り返し、「Yes」の場合はステップＳ２８の処理に移行する。つまり、表示制御装置２８は、ステップＳ２８において、内部メモリに記憶されているテーブルデータを基に映像情報種別番号「１０」の表示必要性判断フラグが「１」か否かを判断し（ステップＳ２８）、「Yes」の場合はステップ２９の処理に移行する一方、「No」の場合はステップＳ３０の処理に移行する。
【００５８】
表示制御装置２８は、ステップＳ２９において、映像情報種別番号「１０」に対応する運行映像情報、運行音声情報及び運行文字情報を映像情報記憶装置２２、音声情報記憶装置２３及び文字情報記憶装置２４から読出し、映像表示装置２５を制御して映像情報種別番号「１０」に対応する運行映像情報を表示させ、音声出力装置２６を制御して運行音声情報に応じた音声を出力させ、また、文字表示装置２７を制御して運行文字情報を表示させる（ステップＳ２９）。
【００５９】
続いて、表示制御装置２８は、ステップＳ３０において、周期タイマが時間Ｔ１０を経過したか否かを判断する（ステップＳ３０）。表示制御装置２８は、このステップＳ３０において、「No」の場合はステップＳ３０の処理を繰り返し、「Yes」の場合はステップＳ３１の処理に移行する。つまり、表示制御装置２８は、ステップＳ３１において、内部メモリに記憶されているテーブルデータを基に映像情報種別番号「１１」の表示必要性判断フラグが「１」か否かを判断し（ステップＳ３１）、「Yes」の場合はステップ３２の処理に移行する一方、「No」の場合はステップＳ３３の処理に移行する。
【００６０】
表示制御装置２８は、ステップＳ３２において、映像情報種別番号「１１」に対応する配信映像情報（広告情報）、配信音声情報及び配信文字情報を映像情報記憶装置２２、音声情報記憶装置２３及び文字情報記憶装置２４から読出し、映像表示装置２５を制御して映像情報種別番号「１１」に対応する配信映像情報を表示させ、音声出力装置２６を制御して配信音声情報に応じた音声を出力させ、また、文字表示装置２７を制御して配信文字情報を表示させる（ステップＳ３２）。
【００６１】
続いて、表示制御装置２８は、ステップＳ３３において、周期タイマが時間Ｔ１１を経過したか否かを判断する（ステップＳ３３）。表示制御装置２８は、このステップＳ３３において、「No」の場合はステップＳ３３の処理を繰り返し、「Yes」の場合はステップＳ３４の処理に移行する。つまり、表示制御装置２８は、ステップＳ３４において、内部メモリに記憶されているテーブルデータを基に映像情報種別番号「１２」の表示必要性判断フラグが「１」か否かを判断し（ステップＳ３４）、「Yes」の場合はステップ３５の処理に移行する一方、「No」の場合はステップＳ３６の処理に移行する。
【００６２】
表示制御装置２８は、ステップＳ３５において、映像情報種別番号「１２」に対応する配信映像情報（ニュース情報や緊急情報などの特殊情報）、配信音声情報及び配信文字情報を映像情報記憶装置２２、音声情報記憶装置２３及び文字情報記憶装置２４から読出し、映像表示装置２５を制御して映像情報種別番号「１２」に対応する配信映像情報を表示させ、音声出力装置２６を制御して配信音声情報に応じた音声を出力させ、また、文字表示装置２７を制御して配信文字情報を表示させる（ステップＳ３５）。
【００６３】
続いて、表示制御装置２８は、ステップＳ３６において、周期タイマが時間Ｔ１２を経過したか否かを判断する（ステップＳ３６）。表示制御装置２８は、このステップＳ３６において、「No」の場合はステップＳ３６の処理を繰り返し、「Yes」の場合は図４のステップＳ１の処理に戻る。
【００６４】
このように、表示制御装置２８は、所定周期（１秒周期）で各種類の映像情報（運行映像情報及び配信映像情報を含む）の各々について順番に表示の必要性の有無を判断し、表示の必要性有りと判断した映像情報を映像情報記憶装置２２から読出して映像表示装置２５に表示させることになる。このため、本実施形態によると、従来技術のように予め乗客に提供すべき映像情報に優先順位を設定しておく必要がなく、システムの調整時間を短縮でき、且つ人為的なミスがなくなるため適切な情報提供を行うことが可能となる。
【００６５】
さらに、本実施形態では、以下で説明するように、４画面マルチディスプレイである映像表示装置２５を利用し、所定の規則に従って４つの画面を用いて上記の運行映像情報或いは配信映像情報を表示することにより、乗客に対して映像情報を提供する際の利便性の向上を図ることが可能となる。
【００６６】
まず、基本的には、図６（ａ）に示すように、表示制御装置２８は、図４及び図５の処理において新たに表示の必要性有りと判断した映像情報（表示必要性判断フラグが「１」の映像情報）が、メイン画面（中２画面）で表示されるように、且つ以前にメイン画面で表示されていた映像情報がサブ画面（外２画面）で表示されるように映像表示装置２５を制御する。
【００６７】
これにより、例えば、当初、メイン画面で広告情報が表示されている状態で新たに運行情報（例えば駅停車前に案内すべき到着駅名など）の表示の必要性有りと判断した場合、広告情報はサブ画面に移って表示され、メイン画面には運行情報が表示されることになり、乗客は直近の情報である運行情報を知ることができ、その後はサブ画面において広告情報の観賞を継続することができるようになる。しかしながら、運行情報は長い時間表示されるものではないため、広告情報をサブ画面で表示し続けると乗客に違和感を与えることになり、さらにサブ画面はそれぞれ１画面分の大きさの映像しか表示できないため、乗客から見えにくいという問題が生じる。
【００６８】
そこで、表示制御装置２８は、図６（ｂ）に示すように、メイン画面における映像情報の表示終了後にサブ画面において映像情報の表示が継続している場合、サブ画面において現在表示中の映像情報がメイン画面で表示されるように映像表示装置２５を制御する。これにより、メイン画面での運行情報の表示が終了すると、サブ画面で表示されていた広告情報はメイン画面に移って表示されることになり、乗客に違和感を与えることなく、２画面分の大きさで広告情報を表示することができるようになる。
【００６９】
ここで、サブ画面において映像情報の表示を行う必要のない状態が発生するが、この時、サブ画面を全黒表示しておくことは見映え上好ましくない。そこで、表示制御装置２８は、このようにサブ画面において映像情報の表示を行う必要のない場合、予め用意されている（予め映像情報記憶装置２２に記憶されている）基本映像がサブ画面で表示されるように映像表示装置２５を制御する。なお、基本映像としては、新交通システムのロゴマークやキャラクター、その他の図形、文字、模様等、どのような映像でも良く、静止映像でも動画映像でも良い。
【００７０】
さらに、表示制御装置２８は、新たに表示の必要性有りと判断された映像情報の種類が緊急情報に該当する場合、図６（ｃ）に示すように、サブ画面において現在表示中の映像情報に加えて緊急情報が表示されるように映像表示装置２５を制御する。この時、最初にサブ画面に表示されていた映像を小さくし、緊急情報の映像を強調表示することが望ましい。そして、表示制御装置２８は、メイン画面における映像情報の表示終了後、サブ画面において現在表示中の緊急情報に該当する映像情報が全画面（４画面）に表示されるように映像表示装置２５を制御する。これにより、乗客に対して効果的に緊急情報の発生を知らせることができる。なお、全画面に緊急情報が表示されている時に、例えば新たに運行情報の表示の必要性有りと判断した場合には、緊急情報をサブ画面に移し、運行情報をメイン画面で表示する。
【００７１】
一方、音声出力装置２６から出力する音声情報と、文字表示装置２７にて表示する文字情報としては、基本的にメイン画面で表示されている映像情報に対応する音声情報及び文字情報を用いる。但し、緊急情報を乗客に提供すべき時には緊急情報に対応する音声情報及び文字情報を優先的に用いることが望ましい。
【００７２】
以上説明したように、本実施形態に係る情報提供システムによれば、従来技術のように予め乗客に提供すべき映像情報に優先順位を設定しておく必要がなく、システムの調整時間を短縮でき、且つ人為的なミスがなくなるため適切な情報提供を行うことが可能になると共に、乗客に対して映像情報を提供する際の利便性の向上を図ることが可能となる。
【００７３】
なお、本発明は上記実施形態に限定されず、以下のように変形例が考えられる。
（１）上記実施形態では、本発明に係る情報提供システムを新交通システム用の車両１に適用した場合を例示したが、本発明の適用範囲はこれに限定されず、例えば鉄道車両、路線バスなど乗客に対して複数種類の映像情報を提供する公共交通車両であれば本発明を適用することができる。
【００７４】
（２）上記実施形態では、車両１内の乗客に提供すべき映像情報として、車両１の運行情報（例えば駅停車中に案内すべき停車駅名やドアの開閉状態、発車後に案内すべき次停車駅名、駅停車前に案内すべき到着駅名など）や、情報配信装置から配信される広告情報、娯楽情報、ニュース情報、天気情報、緊急情報（事故発生情報や遅延発生情報）などを例示したが、これらはあくまで一例を列挙したに過ぎず、車両の種類や路線の状況に応じて適宜変更しても良い。
【００７５】
（３）上記実施形態では、映像表示装置２５として４画面マルチディスプレイを用いた場合を例示したが、画面数はこれに限定されず、画面の配置も横一列に限定されない。横一列配置の４画面マルチディスプレイを用いた理由は、新交通システム用の車両１内における映像表示装置２５の設置スペースに最適な構成であったためであり、車両の仕様に応じて映像表示装置２５の画面数や画面配置は適宜変更すれば良い。
【００７６】
（４）上記実施形態では、映像情報種別番号「１２」に、緊急情報等の特殊情報を割り当てて、ステップＳ３４で表示必要性判断フラグが「１」か否かを判断し、「Yes」の場合はステップＳ３５で映像情報種別番号「１２」の映像情報を表示するように説明したが、これに限るものではない。緊急情報などの特殊情報を映像情報種別番号「２」〜「１２」のいずれかに割り当てても良く、例えば、映像情報種別番号「４」の表示必要性判断フラグが「１」か否かを判断している最中に、緊急情報等の特殊情報を表示する必要が生じた場合には、次の映像情報種別番号「５」に緊急情報等の特殊情報を割り当てても良い。
【符号の説明】
【００７７】
１…車両、２０…運行情報管理装置、２１…無線通信機、２２…映像情報記憶装置、２３…音声情報記憶装置、２４…文字情報記憶装置、２５…映像表示装置、２６…音声出力装置、２７…文字表示装置、２８…表示制御装置
【図１】
2010247739.tif 000003
【図２】
2010247739.tif 000004
【図３】
2010247739.tif 000005
【図４】
2010247739.tif 000006
【図５】
2010247739.tif 000007
【図６】
2010247739.tif 000008